(57)【要約】【課題】事前に映像等を取得する機器と監視領域の対応関係を管理する作業を行うことなく通信対象とする機器を特定することができる警備装置、警備システムおよび警備方法を提供する。【解決手段】センサ１６４から検知信号と、検知信号を受信した時間を含む期間の警備領域の画像を取得する機器を識別する機器ＩＤ、警備領域の音声を取得する機器を識別する機器ＩＤ、および警備領域に音声を出力する機器の機器ＩＤのうち少なくとも一とを受信する受信部１１１と、受信した検知信号と、機器ＩＤとを含む信号を生成する信号生成部１１４と、生成された信号を監視センタ１５０に送信する送信部１１５と、を備えた。【選択図】図１
2011159012.tif 000002
【特許請求の範囲】
【請求項１】
異常または操作の検知信号を出力するセンサと、監視センタとに接続された警備装置であって、
前記検知信号と、前記センサにより検知された異常または操作が発生した監視領域の画像を取得する機器の識別情報、前記監視領域の音声を取得する機器の識別情報、および前記監視領域に音声を出力する機器の識別情報のうち少なくとも一とを受信する受信部と、
受信した前記検知信号と前記識別情報とを含む信号を生成する信号生成部と、
生成された前記信号を前記監視センタに送信する送信部と、
を備えたことを特徴とする警備装置。
【請求項２】
前記受信部は、前記検知信号と、前記検知信号を受信した時刻を含む期間の前記監視領域の画像を取得する機器の識別情報、前記期間の前記監視領域の音声を取得する機器の識別情報、および前記監視領域に音声を出力する機器の識別情報のうち少なくとも一とを受信することを特徴とする請求項１に記載の警備装置。
【請求項３】
前記警備装置は、さらに、前記画像を取得する機器、音声を取得する機器、および音声を出力する機器のうち少なくとも一と接続されており、
前記受信部は、前記検知信号を前記センサから受信し、前記識別情報を接続されている前記機器から受信すること、
を特徴とする請求項１に記載の警備装置。
【請求項４】
前記検知信号は、前記監視領域の異常を示す警報信号であること、
を特徴とする請求項１から３のいずれか１つに記載の警備装置。
【請求項５】
前記検知信号は、前記監視領域の警備状態を変更するための操作入力を受け付けたことを示す警備操作信号であること、
を特徴とする請求項１から３のいずれか１つに記載の警備装置。
【請求項６】
前記検知信号は、前記センサおよび前記警備装置を含む警備に用いられる機器が異常な方法で使用されたことを示す異常使用検知信号であること、
を特徴とする請求項１から３のいずれか１つに記載の警備装置。
【請求項７】
前記画像を取得する機器は、カメラであること、
を特徴とする請求項１に記載の警備装置。
【請求項８】
前記音声を取得する機器は、マイクであること、
を特徴とする請求項１に記載の警備装置。
【請求項９】
前記音声を出力する機器は、スピーカであること、
を特徴とする請求項１に記載の警備装置。
【請求項１０】
異常または操作の検知信号を出力するセンサと、前記センサから前記検知信号を受信する警備装置と、前記センサと前記警備装置に接続された監視センタとを備えた警備システムであって、
前記センサは、
異常または操作を検知する検知部と、
異常または操作を検知した場合に、前記検知信号と、前記センサにより検知された異常または操作が発生した監視領域の画像を取得する機器の識別情報、前記監視領域の音声を取得する機器の識別情報、および前記監視領域に音声を出力する機器を識別する識別情報のうち少なくとも一とを前記警備装置に送信する第１送信部と、
を備え、
前記警備装置は、
前記センサから前記検知信号と前記識別情報とを受信する第１受信部と、
受信した前記検知信号と前記識別情報とを含む信号を生成する信号生成部と、
生成された前記信号を前記監視センタに送信する第２送信部と、
を備えたことを特徴とする警備システム。
【請求項１１】
画像または音声を記録する機器と、異常または操作の検知信号を出力するセンサと、前記センサから前記検知信号を受信する警備装置と、前記機器と前記センサと前記警備装置とに接続された監視センタとを備えた警備システムであって、
前記機器は、
前記監視領域の画像を取得する機器の識別情報、前記監視領域の音声を取得する機器の識別情報、および前記監視領域に音声を出力する機器を識別する識別情報のうち少なくとも一を記憶する記憶部、
を備え、
前記センサは、
前記検知信号を出力する検知部と、
出力された前記検知信号を前記警備装置に送信する第１送信部と、
を備え、
前記警備装置は、
前記センサから前記検知信号を受信する第１受信部と、
前記検知信号を受信した場合に、接続されている前記機器から、前記センサにより検知された異常または操作が発生した監視領域の画像を取得する機器の識別情報、前記監視領域の音声を取得する機器の識別情報、および前記監視領域に音声を出力する機器の識別情報のうち少なくとも一を受信する第２受信部と、
受信した前記検知信号と、前記識別情報とを含む信号を生成する信号生成部と、
生成された前記信号を前記監視センタに送信する第２送信部と、
を備え、
前記監視センタは、
前記警備装置から、生成された前記信号を受信した場合に、生成された前記信号に含まれる前記識別情報から前記機器を特定する機器特定部と、
特定された前記機器と通信する通信部と、
を備えたことを特徴とする警備システム。
【請求項１２】
異常または操作の検知信号を出力するセンサと、監視センタとに接続された警備装置により実行される警備方法であって、
前記検知信号と、前記センサにより検知された異常または操作が発生した監視領域の画像を取得する機器の識別情報、前記監視領域の音声を取得する機器の識別情報、および前記監視領域に音声を出力する機器の識別情報のうち少なくとも一とを受信する受信ステップと、
受信した前記検知信号と前記識別情報とを含む信号を生成する信号生成ステップと、
生成された前記信号を前記監視センタに送信する送信ステップと、
を含むことを特徴とする警備方法。
【発明の詳細な説明】
【技術分野】
【０００１】
本発明は、異常が検知された監視領域の映像等を取得する機器の識別情報を含む信号を送信する警備装置、警備システムおよび警備方法に関する。
【背景技術】
【０００２】
従来から、端末から警報信号を受信した監視センタが、異常が検知された監視領域の映像等を取得する機器と通信することにより監視領域の状況を確認する警備システムが普及している。この場合、監視センタは、異常が検知された監視領域の映像等を取得する機器を特定する作業が必要となるが、当該作業のための手間および通信時間は極力短縮され、簡便かつ低コストとなることが要求される。
【０００３】
例えば、広域ネットワークに接続された他装置と通信可能なネットワーク通信装置の通信回数を減らす方法が提案されている（例えば、特許文献１）。特許文献１の技術によれば、ネットワーク通信装置は、ルータを検索し、検索されたルータからルータの属性情報を取得して記憶しておき、ルータにポートフォワード設定をする。そして、ネットワーク通信装置は、記憶された属性情報を広域ネットワーク上のポータルサーバへ送信する。
【先行技術文献】
【特許文献】
【０００４】
【特許文献１】特開２００８−３０１０１１号公報
【発明の概要】
【発明が解決しようとする課題】
【０００５】
しかしながら、特許文献１の技術を警備装置に採用した場合、監視センタは、警報信号等受信後、あらかじめ記憶した顧客番号とカメラ番号との対応等の情報を参照してカメラ番号を取得し、取得したカメラ番号を指定して発呼するので、事前処理が必要となる。
【０００６】
本発明は、上記に鑑みてなされたものであって、事前に映像等を取得する機器と監視領域の対応関係を管理する作業を行うことなく通信対象とする機器を特定することができる警備装置、警備システムおよび警備方法を提供することを目的とする。
【課題を解決するための手段】
【０００７】
上述した課題を解決し、目的を達成するために、本発明にかかる警備装置は、異常または操作の検知信号を出力するセンサと、監視センタとに接続された警備装置であって、前記検知信号と、前記センサにより検知された異常または操作が発生した監視領域の画像を取得する機器の識別情報、前記監視領域の音声を取得する機器の識別情報、および前記監視領域に音声を出力する機器の識別情報のうち少なくとも一とを受信する受信部と、受信した前記検知信号と前記識別情報とを含む信号を生成する信号生成部と、生成された前記信号を前記監視センタに送信する送信部と、を備えたことを特徴とする。
【０００８】
また、本発明にかかる警備システムは、異常または操作の検知信号を出力するセンサと、前記センサから前記検知信号を受信する警備装置と、前記センサと前記警備装置に接続された監視センタとを備えた警備システムであって、前記センサは、異常または操作を検知する検知部と、異常または操作を検知した場合に、前記検知信号と、前記センサにより検知された異常または操作が発生した監視領域の画像を取得する機器の識別情報、前記監視領域の音声を取得する機器の識別情報、および前記監視領域に音声を出力する機器を識別する識別情報のうち少なくとも一とを前記警備装置に送信する第１送信部と、を備え、前記警備装置は、前記センサから前記検知信号と前記識別情報とを受信する第１受信部と、受信した前記検知信号と前記識別情報とを含む信号を生成する信号生成部と、生成された前記信号を前記監視センタに送信する第２送信部と、を備えたことを特徴とする。
【０００９】
また、本発明にかかる警備システムは、画像または音声を記録する機器と、異常または操作の検知信号を出力するセンサと、前記センサから前記検知信号を受信する警備装置と、前記機器と前記センサと前記警備装置とに接続された監視センタとを備えた警備システムであって、前記機器は、前記監視領域の画像を取得する機器の識別情報、前記監視領域の音声を取得する機器の識別情報、および前記監視領域に音声を出力する機器を識別する識別情報のうち少なくとも一を記憶する記憶部、を備え、前記センサは、前記検知信号を出力する検知部と、出力された前記検知信号を前記警備装置に送信する第１送信部と、を備え、前記警備装置は、前記センサから前記検知信号を受信する第１受信部と、前記検知信号を受信した場合に、接続されている前記機器から、前記センサにより検知された異常または操作が発生した監視領域の画像を取得する機器の識別情報、前記監視領域の音声を取得する機器の識別情報、および前記監視領域に音声を出力する機器の識別情報のうち少なくとも一を受信する第２受信部と、受信した前記検知信号と、前記識別情報とを含む信号を生成する信号生成部と、生成された前記信号を前記監視センタに送信する第２送信部と、を備え、前記監視センタは、前記警備装置から、生成された前記信号を受信した場合に、生成された前記信号に含まれる前記識別情報から前記機器を特定する機器特定部と、特定された前記機器と通信する通信部と、を備えたことを特徴とする。
【００１０】
また、本発明にかかる警備方法は、異常または操作の検知信号を出力するセンサと、監視センタとに接続された警備装置により実行される警備方法であって、前記検知信号と、前記センサにより検知された異常または操作が発生した監視領域の画像を取得する機器の識別情報、前記監視領域の音声を取得する機器の識別情報、および前記監視領域に音声を出力する機器の識別情報のうち少なくとも一とを受信する受信ステップと、受信した前記検知信号と前記識別情報とを含む信号を生成する信号生成ステップと、生成された前記信号を前記監視センタに送信する送信ステップと、を含むことを特徴とする。
【発明の効果】
【００１１】
本発明によれば、事前に映像等を取得する機器と監視領域の対応関係を管理する作業を行うことなく機器を特定することができるという効果を奏する。
【図面の簡単な説明】
【００１２】
【図１】図１は、本発明の第１の実施の形態にかかる警備システムの構成を示すブロック図である。
【図２】図２は、信号生成部１１４により生成された警備信号フォーマットの一例を示す図である。
【図３】図３は、警備信号の送信処理の手順を示すフローチャートである。
【図４】図４は、実施の形態２にかかる警備システムの構成を示すブロック図である。
【図５】図５は、警備装置２００による警備信号の送信処理の手順を示すフローチャートである。
【発明を実施するための形態】
【００１３】
以下に添付図面を参照して、この発明にかかる警備装置、警備システムおよび警備方法の最良な実施の形態を詳細に説明する。
【００１４】
（実施の形態１）
図１は、本発明の第１の実施の形態にかかる警備システムの構成を示すブロック図である。図１に示すように、警備システム１は、機器１６０に接続された警備装置１００が、監視センタ１５０と電話回線、無線ネットワーク、インターネットなどのネットワーク１０により接続されている。
【００１５】
まず、監視センタ１５０は、警備装置１００から通報を受信すると、待機中の警備員に監視領域に出動する指示を出すとともに、必要に応じて警察や消防などの関係機関に通報するセンタである。図１に示すように、監視センタ１５０は、通信制御部１５１を備える。通信制御部１５１は、警備装置１００および機器１６０との通信を制御する。
【００１６】
次に、機器１６０は、映像等を取得したり、音声を取得または出力したりする装置であり、例えば、カメラ、マイク、スピーカ等の機器である。以下、機器１６０の詳細について説明する。機器１６０は、カメラビデオ等の録画機器や、マイク等の録音機器と、センサが搭載された装置であり、ＬＡＮ（Local Area Network）で警備装置１００に接続されている。図１では、１の機器１６０を図示しているが、機器１６０は、監視領域に１又は複数設置されている。
【００１７】
機器１６０は、図１に示すように、映像取得制御部１６１と、音声取得制御部１６２と、音声出力制御部１６３と、センサ１６４と、通信制御部１６５と、記憶部１７０を主に備える。
【００１８】
センサ１６４は、異常または操作を検知し、各種検知信号を出力する。検知信号には、例えば、警報信号、警備操作信号、悪戯・細工信号等がある。ここで、警報信号とは、異常が検知された場合に出力される信号である。異常とは、不審者の侵入等、監視領域に発生する異常のことである。また、警備操作信号とは、警備操作入力が検知された場合に出力される信号である。警備操作入力とは、警備状態の開始または解除の入力、警備員による巡回の開始または解除の入力、解錠のための操作入力（照合結果がＮＧであった場合だけとしてもよい。）等、監視領域の警備状態を変更するための各種操作入力のことである。また、悪戯・細工信号とは、悪戯・細工が検知された場合に出力される信号である。悪戯・細工とは、センサ１６４や、警備装置１００を含む警備に用いられる機器が、異常な方法、または不正な方法により使用されること（以下、異常な使用行為という。）である。
【００１９】
センサ１６４は、例えば、赤外線の受光量の変化をもとに人を検知する赤外線センサ、赤外線などが遮断されることで人を検知する遮断センサ、電磁波の乱れで人を検知する気配センサ、マグネットにより扉の開閉を検知するマグネットセンサなどの監視領域の異常を検知する各種センサである。センサ１６４は、これらのセンサにより、異常や、警備操作入力や、悪戯・細工を検知する。
【００２０】
また、センサ１６４が、悪戯・細工信号を出力するセンサである場合について詳細を説明する。この場合、センサ１６４は、警備装置１００の制御部１１０や操作表示部１４０、カードリーダ（不図示）等の周辺機器に設けられる。
【００２１】
センサ１６４は、異常な使用行為をカメラ等の画像センサで撮像したり、マイクで集音したりする。例えば、異常な使用行為には、操作表示部１４０のタッチパネルが一定回数連打されること（以下、連打による異常な使用行為という。）や、操作表示部１４０、警備装置１００、カードリーダ等の周辺機器の筺体カバーを開ける行為（以下、開封による異常な使用行為という。）等がある。
【００２２】
センサ１６４が連打による異常な使用行為を検知する方法としては、操作パネル側でキータッチの回数の閾値があらかじめ定められてあり、センサ１６４が、一定時間内に閾値異常の回数のキータッチを検知した場合に、異常な使用行為と判断する。例えば、センサ１６４は、警備装置１００の制御部１１０にタンパ警報を送信する。そして、タンパ警報を受信した制御部１１０は、異常な使用の内容を悪戯情報と設定した上で監視センタ１５０に悪戯・細工信号を送信する。
【００２３】
センサ１６４が開封による異常な使用行為を検知する方法としては、操作表示部１４０、警備装置１００、カードリーダ等の周辺機器に開閉センサがあらかじめ設けられてあり、開閉センサが開状態を検知した場合に、センサ１６４は、異常な使用行為と判断する。例えば、センサ１６４は、警備装置１００の制御部１１０にタンパ警報を送信する。そして、タンパ警報を受信した制御部１１０は、異常な使用の内容を悪戯情報と設定した上で監視センタ１５０に悪戯・細工信号を送信する。
【００２４】
映像取得制御部１６１は、監視領域の映像を取得する。例えば、カメラが相当する。映像取得制御部１６１は、取得した映像のデータを所定の時間ごとにファイルに記録してもよい。
【００２５】
映像取得制御部１６１は、また、警備装置１００からの機器ＩＤの送信要求に応じて機器ＩＤを、通信制御部１６５を介して警備装置１００に送信する。ここで、機器ＩＤとは、監視領域の映像を取得したり、音声を取得、または出力したりする機器のＩＤのことである。例えば、カメラ番号や、マイク番号や、スピーカ番号の製造番号、ＩＰアドレス、またはＵＲＬなどである。なお、機器ＩＤは、機器１６０ごとに付与されていてもよいし、機器１６０が備える映像取得制御部１６１、音声取得制御部１６２、または音声出力制御部１６３ごとに付与されていてもよい。
【００２６】
音声取得制御部１６２は、監視領域の音声を取得する。例えば、マイク等が相当する。音声取得制御部１６２は、取得した音声のデータを所定の時間ごとにファイルに記録してもよい。
【００２７】
音声取得制御部１６２は、また、警備装置１００からの機器ＩＤの送信要求に応じて機器ＩＤを、通信制御部１６５を介して警備装置１００に送信する。
【００２８】
音声出力制御部１６３は、監視領域に音声を出力する。例えば、音声出力制御部１６３は、侵入者検知のアナウンスや、火災発生のアナウンス等をスピーカから出力する。
【００２９】
記憶部１７０は、機器１６０の機器ＩＤ、または機器１６０が備える映像取得制御部１６１、音声取得制御部１６２、または音声出力制御部１６３の機器ＩＤを保存する。通信制御部１６５は、機器１６０と警備装置１００および監視センタ１５０との通信を制御する。
【００３０】
次に、警備装置１００は、監視領域の異常を検知して、異常検知情報を監視センタ１５０に通報する装置である。以下、警備装置１００の詳細について説明する。警備装置１００は、監視領域に設置された１又は複数の機器１６０に接続されており、制御部１１０と、入出力制御部１２０と、操作表示部１４０と、通信制御部１３０を主に備えている。
【００３１】
制御部１１０は、受信部１１１と、機器情報取得部１１２と、信号生成部１１４と、送信部１１５を主に備える。
【００３２】
操作表示部１４０は、各種設定画面等を表示する液晶画面や操作ボタン等を備えており、初期設定画面や警備モード設定画面を液晶画面に表示して、利用者による警備装置１００の初期設定の入力や、警備装置１００に対する種々の警備モードの設定入力を受け付ける。ここで、警備モードとは、監視領域において、異常が検知された場合に監視センタ１５０などの通報先に異常を検知した旨の通報を行うか否か、または監視領域内に異常を検知した旨の通報を行うか否かなど、警備装置１００の動作を決定するモードである。
【００３３】
受信部１１１は、センサ１６４から各種検知信号および機器ＩＤを受信する。
【００３４】
機器情報取得部１１２は、受信部１１１を介して機器ＩＤを取得する。また、機器情報取得部１１２は、受信部１１１により検知信号だけが受信された場合は、通信制御部１３０を介して、映像取得制御部１６１、音声取得制御部１６２、音声出力制御部１６３に機器ＩＤの送信要求を送信する。具体的には、機器情報取得部１１２は、受信部１１１により受信した検知信号の受信時を基準に指定時間を特定し、特定した指定時間を含む機器ＩＤの送信要求を映像取得制御部１６１、音声取得制御部１６２、音声出力制御部１６３に送信する。
【００３５】
機器情報取得部１１２は、また、映像取得制御部１６１、音声取得制御部１６２、または音声出力制御部１６３から機器ＩＤを取得する。
【００３６】
信号生成部１１４は、受信部１１１により受信した検知信号に、機器情報取得部１１２により取得した機器ＩＤを付加して監視センタ１５０に送信する警備信号を生成する。
【００３７】
図２は、信号生成部１１４により生成された警備信号フォーマットの一例を示す図である。図２に示すように、警備信号は、ＩＰ（Internet Protocol）ヘッダと、ＴＣＰ（Transmission Control Protocol）ヘッダと、顧客番号と、検知信号にかかる情報と、検知信号にかかる情報が発生した場所のカメラ番号と、マイク番号と、スピーカ番号を含む。また、検知信号にかかる情報には、警報情報、操作情報、悪戯情報などがある。
【００３８】
送信部１１５は、信号生成部１１４により生成された警備信号を、通信制御部１３０を介して監視センタ１５０に送信する。
【００３９】
入出力制御部１２０は、操作表示部１４０の入出力制御と、センサ１６４の入力制御により種々のデータの入出力を制御する。通信制御部１３０は、警備装置１００とネットワーク１０との間における通信を制御する。
【００４０】
次に、以上のように構成された本実施の形態にかかる警備装置１００による警備方法で行われる警備信号の送信処理について説明する。図３は、警備信号の送信処理の手順を示すフローチャートである。
【００４１】
機器１６０は、センサ１６３により異常または操作を検知すると、検知信号と機器ＩＤとを警備装置１００に送信する（ステップＳ１）。警備装置１００は、受信した検知信号と識別情報とを含む警備信号を生成し、生成した警備信号を監視センタ１５０に送信する（ステップＳ２）。
【００４２】
監視センタ１５０は、警備信号を受信すると、警備信号から機器ＩＤを取得し、取得した機器ＩＤに対応する機器１６０を発呼する（ステップＳ３）。機器１６０は、監視センタ１５０からの発呼に応じて回線を接続し（ステップＳ４）、機器１６０と監視センタ１５０は通信する（ステップＳ５）。監視センタ１５０は、機器１６０との通信により映像・音声の確認を完了すると機器１６０との通信を切断する（ステップＳ６）。
【００４３】
このように、本実施の形態によれば、検知信号に機器ＩＤを含めた警備信号を監視センタ１５０に送信するので、監視センタ側で事前に映像等を取得する機器と監視領域の対応関係を管理する作業を行うことなく機器を特定することができる。
【００４４】
（実施の形態２）
実施の形態１では、センサ１６４が機器１６０に備えられていた。これに対し、本実施の形態では、センサ１６４は、機器２６０と別に警備装置２００に接続されている。
【００４５】
図４は、実施の形態２にかかる警備システムの構成を示すブロック図である。図４に示すように、警備システム２は、機器２６０とセンサ１６４に接続された警備装置２００が、監視センタ１５０と電話回線、無線ネットワーク、インターネットなどのネットワーク１０により接続されている。
【００４６】
次に、機器２６０について説明する。図４では、１の機器２６０を図示しているが、機器２６０は、監視領域に１又は複数設置されている。
【００４７】
機器２６０は、映像取得制御部１６１と、音声取得制御部１６２と、音声出力制御部１６３と、通信制御部１６５と、記憶部１７０を主に備える。なお、各部の機能および構成は実施の形態１と同様である。
【００４８】
また、図４では、１つのセンサ１６４を図示しているが、センサ１６４は、監視領域に１又は複数設置されている。なお、センサ１６４の機能および構成についても実施の形態１と同様である。
【００４９】
次に、警備装置２００の詳細について説明する。警備装置２００は、監視領域に設置された１又は複数の機器２６０と、センサ１６４に接続されており、制御部１１０と、入出力制御部１２０と、操作表示部１４０と、通信制御部１３０を主に備えている。なお、警備装置２００の各部の機能および構成は、実施の形態１と同様である。
【００５０】
次に、以上のように構成された警備装置２００による警備信号の送信処理の手順について説明する。図５は、警備装置２００による警備信号の送信処理の手順を示すフローチャートである。
【００５１】
センサ１６４は、検知信号を出力すると、検知信号を警備装置２００に送信する（ステップＳ１０）。ステップＳ１１からステップＳ１７の処理については、実施の形態１の警備信号の送信処理におけるステップＳ２からステップＳ８と同様である。
【００５２】
このように、本実施の形態によれば、検知信号に機器ＩＤを含めた警備信号を監視センタ１５０に送信するので、監視センタ側で事前に映像等を取得する機器と監視領域の対応関係を管理する作業を行うことなく機器を特定することができる。
【符号の説明】
【００５３】
１０  ネットワーク
１００、２００  警備装置
１１１  受信部
１１２  機器情報取得部
１１４  信号生成部
１１５  送信部
１２０  入出力制御部
１３０、１６５、１５１  通信制御部
１４０  操作表示部
１５０  監視センタ
１６０、２６０  機器
１６１  映像取得制御部
１６２  音声取得制御部
１６３  音声出力制御部
１６４  センサ
１７０  記憶部
【図１】
2011159012.tif 000003
【図２】
2011159012.tif 000004
【図３】
2011159012.tif 000005
【図４】
2011159012.tif 000006
【図５】
2011159012.tif 000007